(57)【特許請求の範囲】
【請求項１】
固定型と可動型と、前記固定型と前記可動型との間に配設したコアと、前記コアに形成された特定の曲率を有するマニホールドの吸気キャビティと、前記吸気キャビティの特定の曲率に沿って回動する回動中子とを具備し、
前記回動中子には、前記回動中子を冷却する冷却機構が接続され、かつ、前記回動中子にはピニオンギアが形成されていて、直線運動するラックギアと噛み合って前記回動中子を前記吸気キャビティから出し入れすることを特徴とするマニホールドの射出成形装置。
【請求項２】
前記回動中子の冷却機構は、可撓性を有しないステンレス管からなるロッド部及び前記ロッド部に接続された可撓性を有する冷却水用高圧ホースからなることを特徴とする請求項１に記載のマニホールドの射出成形装置。
【請求項３】
固定型と可動型と、前記固定型と前記可動型との間に配設したコアと、前記コアに形成された特定の曲率を有するマニホールドの吸気キャビティと、前記吸気キャビティの特定の曲率に沿って回動する回動中子とを具備し、
前記回動中子には、前記回動中子を冷却する冷却機構が接続されており、かつ、前記回動中子にはピニオンギアが形成されていて、直線運動するラックギアと噛み合って前記回動中子を前記吸気キャビティから出し入れすることを特徴とするマニホールドの射出成形方法。
【請求項４】
前記回動中子の冷却機構は、可撓性を有しないステンレス管からなるロッド部及び前記ロッド部に接続された可撓性を有する冷却水用高圧ホースからなることを特徴とする請求項３に記載のマニホールドの射出成形方法。
【発明の詳細な説明】
【技術分野】
【０００１】
本発明は、内燃機関のインテークマニホールド、エキゾーストマニホールド等のマニホールドに使用される特定の曲がりを有する貫通孔を成形するマニホールドの射出成形装置及びその射出成形方法に関するものである。
【背景技術】
【０００２】
内燃機関の吸気管を一体とし、吸気の圧力損失を少なくするインテークマニホールドは、内部に複雑に入り組んだ曲孔を備えている。インテークマニホールドは軽量化の必要性と内燃機関の周囲の環境温度が低くなっていることから、一般的にアルミニウムから現代では射出成形された合成樹脂製に代わってきている。
特許文献１（中子を用いた樹脂成形方法）では、吸気が通る孔は複雑に入り組んで、孔の壁面は円弧を成しているので、孔を成形するのに中子に相当する置き駒を射出成形金型内に配置し、射出成形後にこの置き駒を製品から外している。
また、特許文献２（合成樹脂中空成形品の成形方法）では、成型品と中子を融点が異なる樹脂で作り、この温度差で中子を取り出す方法を採用している。
そして、特許文献３（曲管成形用の金型装置）では、曲管を成形するのに内部の中子を直線部と円弧部とに分離し、直線部の中子は成形後に直線方向に移動させる直線駆動手段によって引き抜き、円弧部はある一点を中心に揺動駆動手段で揺動させて円弧部を引き抜く方法を採用している。
【０００３】
従来の射出成形方法は、このように行われているため、製品の再現性が悪く、精度も上がらず、製品の不良率も高かった。また、曲管の金型は射出成形品のように複雑な成型品には適用できない。また、中子を引き抜くための専用の直線駆動手段と、円弧駆動手段が必要となり、複雑な金型となるという問題点が存在していた。
そこで、特許文献４では、生産性の高い曲孔を備えた成形品の射出成形方法として、曲孔を備えた成形品の射出成形方法において、射出成形金型に形成され前記曲孔を形成するためのキャビティに前記金型に揺動自在に設けた揺動中子を挿入し、前記射出成形金型と前記揺動中子との間の前記キャビティ内に溶融した樹脂を射出し、前記射出した後に、前記金型を開く運動により前記揺動中子を前記キャビィティから前記揺動運動で抜き、前記曲孔を備えた成形品を形成する方法を提案している。
【先行技術文献】
【特許文献】
【０００４】
【特許文献１】特開平３−１０６６１２号公報
【特許文献２】特開平１１−５８４１３号公報
【特許文献３】特開平６−６３６９４号公報
【特許文献４】特開２００２−１８９０４号公報
【発明の概要】
【発明が解決しようとする課題】
【０００５】
この特許文献４は、生産性の高い曲孔を備えた成形品の射出成形方法として、射出成形金型に形成され曲孔を形成するためのキャビティに、射出成形金型に揺動自在に設けた揺動中子を挿入し、前記射出成形金型と前記揺動中子との間の前記キャビティ内に溶融した樹脂を射出し、前記射出した後に、前記金型を開くことにより前記揺動中子を前記キャビィティから前記揺動運動で抜き、前記曲孔を備えた成形品を形成するものである。
ここで、揺動中子は揺動軸を中心に回動するものであるから、特許文献４の図１（ｂ）に示す吸気管の円弧部は、図示のように円弧以外の形状は成型できない。また、吸気管の円弧部は揺動軸を中心に回動する揺動中子が描く円弧となる。一方、揺動中子は揺動軸を中心に回動するとき、連結軸に連結されたリンクが直線運動するから、吸気管の円弧部から揺動軸を中心に回動する揺動中子を抜く際には、揺動中子は等速運動をしておらず、かつ、連結軸に連結されたリンク等が軸支されているから軸の遊びによって精度を上げることができない。そして、固定型板と可動型板の間の中央部のコアにはガイドも必要であり、金型が複雑になる。
【０００６】
そこで、本発明は、正確な曲率で吸気管の円弧部から揺動軸を中心に回動する揺動中子を抜くことができ、金型の設定精度も高く、同一条件で型抜きができるマニホールドの射出成形装置及びその射出成形方法の提供を課題とするものである。
【課題を解決するための手段】
【０００７】
請求項１の発明にかかるマニホールドの射出成形装置は、固定型と可動型と、前記固定型と前記可動型との間に配設したコアと、前記コアに形成された特定の曲率を有するマニホールドの吸気管を形成する吸気キャビティと、前記吸気管の吸気キャビティを特定の曲率に沿って回動する回動中子とし、前記回動中子にはピニオンギアが形成されていて、直線運動するラックギアと噛み合って前記回動中子を前記吸気キャビティから出し入れするものである。
ここで、上記固定型と可動型は、マニホールドを射出成形する射出成形に直接関与しない金型を意味する。
また、上記固定型と可動型との間に配設したコアは、マニホールドを成形する吸気キャビティが形成される部分で、前記コアには特定の曲率を有するマニホールドの吸気キャビティを形成する部位であり、直接、射出成形に関与する金型である。
そして、上記吸気キャビティ部の特定の曲率に沿って、前記回動中子はピニオンギアが、直線運動するラックギアと噛み合い前記回動中子を前記吸気キャビティから出し入れする。
なお、ここで吸気部とは、吸気管を形成するキャビティが形成した樹脂部分であり、また、吸気キャビティとは射出成形する空間を意味する。
【０００８】
請求項２の前記冷却機構は、ノズル部が前記回動中子の端部付近にその先端を位置させ、前記ノズル部に連続してロッド部が形成され、しかも、前記ロッド部はステンレス管からなり、前記ロッド部に接続された冷却水用高圧ホースは、可撓性を有し、回動中子、即ち、前記ロッド部の反ノズル部側の位置変化に追随する。
【０００９】
請求項３の発明にかかるマニホールドの射出成形方法は、固定型と可動型と、前記固定型と前記可動型との間に配設したコアと、前記コアに形成された特定の曲率を有するマニホールドの吸気キャビティと、前記吸気部の特定の曲率に沿って回動する回動中子とを具備し、前記回動中子にはピニオンギアが形成されていて、直線運動するラックギアと噛み合って前記回動中子を前記吸気キャビティから出し入れするものである。
ここで、上記固定型と可動型は、マニホールドを射出成形する射出成形に直接関与しない金型を意味する。
また、上記固定型と可動型との間に配設したコアは、マニホールドを成形する吸気部が形成される部分で、前記コアには特定の曲率を有するマニホールドの吸気キャビティを形成される部位であり、直接、射出成形に関与する金型である。
そして、上記吸気キャビティの特定の曲率に沿って、前記回動中子はピニオンギアが、直線運動するラックギアと噛み合い、前記回動中子を前記吸気キャビティ側から出し入れする。
【００１０】
請求項４の前記冷却機構は、ノズル部が前記回動中子の端部付近にその先端を位置させ、前記ノズル部に連続してロッド部が形成され、しかも、前記ロッド部はステンレス管からなり、前記ロッド部に接続された冷却水用高圧ホースは、可撓性を有し、回動中子、即ち、前記ロッド部の反ノズル部側の位置変化に追随する。
【発明の効果】
【００１１】
請求項１のマニホールドの射出成形装置は、固定型と可動型との間に配設したコアに形成された特定の曲率を有するマニホールドの吸気管に相当する吸気キャビティと、前記吸気キャビティの特定の曲率に沿って回動する回動中子とを具備し、前記回動中子には直線運動するラックギアと噛み合うピニオンギアが前記回動中子を回動させ、前記吸気キャビティから前記回動中子を出し入れするものである。
したがって、前記回動中子はその周囲にピニオンギアを形成し、直線運動するラックギアと噛み合っているから、前記回動中子はその周囲にピニオンギアが形成されており、その周方向の回動はピニオンギアが形成されている周方向となるので、前記回動中子は等速度運動を行い、かつ、従来のように前記吸気キャビティと前記回動中子との間の軸が緩み、前記吸気キャビティと前記回動中子との間にガタツキが発生すると所望の均一な肉厚が得られなくなるが、本願発明では、ラックアンドピニオンによって回転奇跡が決定され、かつ、歯の噛み合いによって回転するものであるから、成形精度が高くなり、金型の寿命が長くなる。また、前記回動中子を冷却する冷却機構を設置しても、常に前記回動中子の軌道が同じであるから、冷却機構の設置が可能となる。
【００１２】
請求項２の前記冷却機構は、ノズル部が前記回動中子の端部付近にその先端を位置させ、前記ノズル部に連続してロッド部が形成され、しかも、前記ロッド部はステンレス管からなり可撓性を有していないが、前記ロッド部に接続された冷却水用高圧ホースは、可撓性を有し、回動中子、即ち、前記ロッド部の反ノズル部側の位置変化に追随する形態を取っている。
したがって、前記回動中子に接続されている冷却機構は、前記ノズル部が前記回動中子の端部付近に位置させているから、前記回動中子を冷却し、吸気管を形成するタイミングに応じて冷却を行うことができる。
【００１３】
請求項３のマニホールドの射出成形方法は、固定型と可動型と、前記固定型と前記可動型との間に配設したコアと、前記コアに形成された特定の曲率を有するマニホールドの吸気キャビティと、前記吸気キャビティの特定の曲率に沿って回動する回動中子とを具備し、前記回動中子にはピニオンギアが形成されていて、直線運動するラックギアと噛み合って前記回動中子を前記吸気キャビティから出し入れするものである。
したがって、前記回動中子はその周囲にピニオンギアを形成し、直線運動するラックギアと噛み合っているから、前記回動中子は等速度運動を行い、かつ、従来のように前記吸気キャビティと前記回動中子との間の軸が緩み、前記吸気キャビティと前記回動中子との間にガタツキが発生すると所望の均一な肉厚が得られなくなるが、本願発明では、ラックアンドピニオンによって回転奇跡が決定され、かつ、歯の噛み合いによって回転するものであるから、成形精度が高くなり、金型の寿命が長くなる。また、前記回動中子を冷却する冷却機構を設置しても、常に前記回動中子の軌道が同じであるから、冷却機構の設置が可能となる。
【００１４】
請求項４のマニホールドの射出成形方法に使用する前記冷却機構は、ノズル部が前記回動中子の端部付近にその先端を位置させ、前記ノズル部に連続してロッド部が形成され、しかも、前記ロッド部はステンレス管からなり可撓性を有していないが、前記ロッド部に接続された冷却水用高圧ホースは、可撓性を有し、回動中子、即ち、前記ロッド部の反ノズル部側の位置変化に追随する形態を取っている。
したがって、前記回動中子に接続されている冷却機構は、前記ノズル部が前記回動中子の端部付近に位置させているから、前記回動中子を冷却し、吸気管を形成するタイミングに応じて冷却を行うことができる。
【図面の簡単な説明】
【００１５】
【図１】図１は射出成形したマニホールドの射出成形個所を示す斜視図で、Ａ−Ａ切断線は金型に対応する説明位置を示すものである。
【図２】図２は本発明の実施の形態におけるマニホールドの射出成形装置の固定型と可動型とを開いた状態のＡ−Ａ切断線の断面図である。
【図３】図３は本発明の実施の形態におけるマニホールドの射出成形装置の固定型と可動型とを開く途中の状態のＡ−Ａ切断線の断面図である。
【図４】図４は本発明の実施の形態におけるマニホールドの射出成形装置の固定型と可動型とを閉じ、射出成形した状態のＡ−Ａ切断線の断面図である。
【発明を実施するための形態】
【００１６】
以下、本発明の実施の形態について、図面に基づいて説明する。なお、実施の形態において、図示の同一記号及び同一符号は、同一または相当する機能部分であるから、ここではその重複する説明を省略する。
【００１７】
［実施の形態］
図１において、内燃機関のインテークマニホールド、エキゾーストマニホールド等のマニホールド５０は、内燃機関として所定数のシリンダ（図１は３気筒）の吸気管５１，５２，５３を一括したもので、吸気の際の圧力損失が少なく、かつ、各シリンダ間の吸気に干渉がなく、各シリンダ間の吸気が同じ条件になるように略均一に設計されたものである。そのため、そのマニホールド５０に形成された吸気管５１，５２，５３の曲率は気筒によって様々であるが、本発明の実施の形態では、断面を面取りした四角形としたものである。
【００１８】
このマニホールド５０は、分離可能な射出成形金型１の固定型２と可動型３、また、固定型２と可動型３との間に配設した外側の面を形成する外面型４（図１の下面）及びその内側の面を形成する内面型５（図１の上面）からなるコア６を有している。マニホールド５０の吸気管５２を形成する吸気キャビティは、図１のＡ−Ａ切断線で切断したとき、特定の曲率を有するものであり、吸気キャビティは、外面型４に対して特定の曲率に沿って回動する回動中子１０が挿入され、外面型４と内面型５との間で形成する吸気部５２ｂを含むマニホールド５０の空間を形成している。
【００１９】
回動中子１０の外周の一部にはピニオンギア１２が形成されていて、直線運動するラックギア２１と噛み合って、ラックギア２１の直線運動により回動中子１０を外面型４の吸気キャビティまたは成形した吸気部５２ｂから出し入れ自在となっている。
詳しくは、回動中子１０は支点１１を回動シャフトで軸を形成してもよいし、回動中子１０の回動溝を形成することによって回動自在とすることができる。しかし、支点１１で軸支させた方が回動中子１０はスムーズな動きとなる。特に、後述するノズル部３１等の冷却機構３０を回動中子１０の負荷として捉えた場合には、支点１１を軸支させた方が他に余計な力が加わらない。
【００２０】
回動中子１０の外周のピニオンギア１２は、回動中子１０が吸気部５２ｂを形成する距離の２〜３倍歯を形成している。また、直線運動するラックギア２１はピニオンギア１２に対応する距離またはその１．５倍程度歯を形成している。
したがって、ラックギア２１が直線運動するとそれに伴ってピニオンギア１２が支点１１を中心に回転する。この回転により、回動中子１０が吸気部５２ｂに相当するキャビティを形成する。ラックギア２１の直線運動の方向によって回動中子１０の進退方向が決定される。
【００２１】
また、回動中子１０は、射出成形する際に、射出成形金型１の固定型２と可動型３、及びコア６の外面型４及び内面型５を閉じ、支点１１を中心に３０度程度回動する。即ち、回動中子１０の端部面１３は、その開口面積を拡大開始する境界線５２ａに位置する。また、射出成形金型１の固定型２と可動型３及びコア６の外面型４と内面型５を開いて、射出成形したマニホールド５０を取り出すとき、回動中子１０の端部面１３は、図２において３０度程度下方向（右回転）に回動する。
【００２２】
そして、回動中子１０内には、冷却機構３０が配設されている。冷却機構３０は冷却水を循環させ回動中子１０を冷却している。冷却機構３０はノズル部３１が回動中子１０の端部付近にその先端を位置させている。ノズル部３１に連続してロッド部３２が配設されている。ロッド部３２はステンレス管からなり、可撓性を有していない。しかし、ロッド部３２に接続された冷却水用高圧ホース３３は、可撓性を有し、回動中子１０、即ち、ロッド部３２の反ノズル部３１側の位置変化に追随する形態を取り得る。
【００２３】
直線運動する往復動部材２０に形成したラックギア２１は、射出成形金型１の固定型２に形成された直線溝７を往復動する。ラックギア２１の端部とピニオン１２を形成した回動中子１０の端部面１４が往復動部材２０のＬ字状端部２２に当接したとき、それがストッパとして機能し、移動を停止する。
【００２４】
射出成形金型１の可動型３には、金型ガイド４１が配設されており、射出成形金型１の固定型２と可動型３とが開閉する両者の位置決めを行っている。また、金型ガイド４１から下に斜めに突出する回動中子１０の移動ロッド４２を配設している。移動ロッド４２は往復動部材２０の嵌合孔２３を挿通し、嵌合する位置によって往復動部材２０が往復動作し、結果、往復動部材２０に形成されているラックギア２１が往復移動し、噛み合っているピニオン１２が支点１１を中心に３０度程度往復回動自在としている。金型ガイド４１と移動ロッド４２は金型開閉伝達機構を構成し、射出成形金型１の固定型２と可動型３及びコア６の外面型４及び内面型５を開閉するとき、移動ロッド４２を介して回動中子１０の型締め及び型開き位置の移動となる。
【００２５】
次に、本実施の形態のマニホールドの射出成形装置及びマニホールドの射出成形方法の全体動作の説明をする。
図２に示すように、射出成形金型１の固定型２と可動型３及びコア６の外面型４と内面型５が開いた状態で、固定型２と可動型３の間隔を狭め、型締め及び型開きできる範囲に両者を設定する。このとき、移動ロッド４２は往復動部材２０の嵌合孔２３に挿通状態とする。通常の型の開閉を行う使用状態では、移動ロッド４２は往復動部材２０の嵌合孔２３に挿通状態とするものである。
【００２６】
図３は射出成形金型１の固定型２と可動型３及びコア６の外面型４と内面型５が型開き直前の状態に設定した状態を示す断面図で、図４は射出成形金型１の固定型２と可動型３及びコア６の外面型４と内面型５が型締めできる状態に設定した状態を示す断面図である。射出成形品を取り出し、型締めする場合には、射出成形金型１の固定型２と可動型３の両者間の間隔を狭め、金型ガイド４１によって両者間の位置決めを行う。
【００２７】
同時に、金型ガイド４１に配設された移動ロッド４２は往復動部材２０の嵌合孔２３に挿通されているから、移動ロッド４２は往復動部材２０を図３の右方向に移動させる。回動中子１０に設けられているラックギア２１はピニオンギア１２を左方向に回動させる。同時に、この回動は、回動中子１０の端部面１３が吸気管５２の開口面積を拡大開始する境界線５２ａで停止する。このとき、回動中子１０のラックギア２１のＬ字状端部２２とピニオン１２を形成した端部面１４が往復動部材２０に当接し、移動を停止する。この状態が型締めした図４の状態となり、樹脂を射出することにより、マニホールド５０が成形される。
【００２８】
そして、回動中子１０に接続されている冷却機構３０は、ノズル部３１が回動中子１０の端部付近に位置させているから、回動中子１０を冷却し、吸気管５２を形成するタイミングに応じて冷却を行うことができる。
この冷却機構３０は回動中子１０の回動によって、冷却水用高圧ホース３３の長さ及びロッド部３２は、ロッド部３２との接続位置が変化するが、冷却水用高圧ホース３３の可撓性によって特定の位置にストレスが及ばないし、その可撓性を与える外力は回動中子１０の回動が支点１１を中心に３０度程度往復回動自在としており、回動中子１０とコア６の外面型４と内面型５との間にガタツキがないから、回動中子１０の回動にガタツキがなく、繰り返し運動ができる。
【００２９】
図４の状態で、マニホールド５０の射出成形が完了すると、射出成形金型１の固定型２と可動型３及びコア６の外面型４と内面型５が型開きされる。射出成形金型１の固定型２と可動型３が開口するとき、金型ガイド４１に設けられた移動ロッド４２は、往復動部材２０の嵌合孔２３に挿通されているから、往復動部材２０を図３に示す位置よりも左方向に移動させる。往復動部材２０が左側に移動すると、回動中子１０が右回転し、マニホールド５０の吸気管５２の境界線５２ａの面から図３に示す位置を通過して、マニホールド５０の内側を上にして射出成形金型１が開く。
【００３０】
このように、本実施の形態のマニホールド５０の射出成形装置は、固定型２と可動型３と、固定型２と可動型３との間に配設したコア６と、コア６に形成された特定の曲率を有するマニホールド５０の吸気管５２となる吸気キャビティと、吸気管５２となる吸気キャビティの特定の曲率に沿って回動する回動中子１０とを具備し、回動中子１０にはピニオンギア１２が形成されていて、直線運動する往復動部材２０に形成されたラックギア２１と噛み合って回動中子１０を吸気キャビティから出し入れする構成として捉えることができる。
【００３１】
したがって、回動中子１０はその周囲にピニオンギア１２を形成し、直線運動する往復動部材２０に形成されたラックギア２１と噛み合っているから、回動中子１０はその周囲にピニオンギア１２が形成されており、その周方向の回動はピニオンギア１２が形成されている周方向となるので、回動中子１０は等速度運動を行うものである。
よって、従来技術のように、吸気キャビティと回動中子との間の軸が緩み、吸気キャビティと回動中子１０との間にガタツキが発生したり、所望の均一な肉厚が得られなくなるという事態が回避できる。本発明の実施の形態では、ラックアンドピニオンによって回転軌跡が決定され、かつ、歯の噛み合いによって回転するものであるから、マニホールドの成形精度が高くなり、金型の寿命が長くなる。また、回動中子１０を冷却する冷却機構３０を設置しても、常に回動中子１０の軌道が同じであるから、冷却機構３０の設置が可能となる。
【００３２】
また、本実施の形態のマニホールドの射出成形方法は、固定型２と可動型３と、固定型２と可動型３との間に配設したコア６と、コア６に形成された特定の曲率を有するマニホールド５０の吸気管５２の吸気キャビティと、前記吸気キャビティの特定の曲率に沿って回動する回動中子１０とを具備し、回動中子１０にはピニオンギア１２が形成されていて、直線運動するラックギア２１と噛み合って回動中子１０を吸気管５２の吸気キャビティから出し入れするマニホールドの製造方法に関する発明として捉えることもできる。
【００３３】
したがって、回動中子１０はその周囲にピニオンギア１２を形成し、直線運動するラックギア２１と噛み合っているから、回動中子１０は等速度運動を行い、かつ、従来のように吸気キャビティと回動中子１０との間の軸が緩み、吸気キャビティと回動中子１０との間にガタツキが発生すると吸気部５２ｂとして所望の均一な肉厚が得られなくなるが、本願発明では、ラックアンドピニオンによって回転奇跡が決定され、かつ、歯の噛み合いによって回転するものであるから、成形精度が高くなり、金型１の寿命が長くなる。また、回動中子１０を冷却する冷却機構３０を設置しても、常に回動中子１０の軌道が同じであるから、冷却機構の設置が可能となる。
【００３４】
本実施の形態では、吸気管５２について説明したが、吸気管５１，５２，５３の何れでもよいし、１個またはそれ以上に適用できればよい。
特に、本実施の形態においては、マニホールド５０の吸気管５２を特定の曲率の円弧を描く形態として設計することを前提とするものであり、それによって成形時に誤差が生じ難くなることにより、マニホールド５０の特性を良くすることができる。
【産業上の利用可能性】
【００３５】
本実施の形態では、固定型２と可動型３と、前記固定型２と前記可動型３との間に配設したコア６と、コア６に形成された特定の曲率を有するマニホールド５０の吸気管５２となる吸気部５２ｂと、前記吸気部５２ｂの特定の曲率に沿って回動する回動中子１０として説明したが、本発明を実施する場合には、他の射出成形の技術にも適用できる。
【符号の説明】
【００３６】
１    射出成形金型
２    固定型
３    可動型
４    外面型
５    内面型
６    コア
１０  回動中子
１２  ピニオンギア
２０  往復動部材
２１  ラックギア
５０  マニホールド
５２ｂ    吸気部
５１，５２，５３    吸気管
【図１】
0006002715.tif 000002
【図２】
0006002715.tif 000003
【図３】
0006002715.tif 000004
【図４】
0006002715.tif 000005